(57)【要約】      （修正有）【課題】絵筆や水彩パレットを損傷することなく、汚れを充分に洗浄する水彩パレット洗浄ブラシの提供。【解決手段】二つ折り可能な水彩パレットの表板２０の内側面には、仕切２７と側壁２５とにより構成された洗浄ブラシ収容部２８が設けられており、水彩パレットを洗浄するのに適した硬質な刷毛３６を備えた洗浄ブラシ３０が収容されている。これにより、水彩パレットとともに常に洗浄ブラシ３０も保管・携行することができる。洗浄ブラシ３０の刷毛３６が植え込まれた部分を覆う刷毛台部３４はシリコンゴム製であるから、水彩パレットを洗浄するときに水彩パレットの表面に傷を付けることがない。【選択図】図１
0003117111.tif 000002
【実用新案登録請求の範囲】
【請求項１】
水彩パレットを洗浄するための洗浄ブラシであって、水彩パレットに設けられた洗浄ブラシ収容部に収容可能であり、かつ表面が柔軟な刷毛台部とを備えたことを特徴とする水彩パレット洗浄ブラシ。
【請求項２】
前記刷毛台部がシリコンゴム製である請求項１に記載の水彩パレット洗浄ブラシ。
【請求項３】
筆型形状であって、刷毛台部がシリコンゴム製のリング状である請求項２に記載の水彩パレット洗浄ブラシ。
【請求項４】
刷毛の材質はナイロン、豚毛、シュロ、パームからなる群から選ばれる少なくとも通常の水彩用絵筆よりも硬質のものである請求項１ないし３のいずれかに記載の水彩パレット洗浄ブラシ。
【考案の詳細な説明】
【技術分野】
【０００１】
本考案は、水彩画を描く際に使用する水彩パレットを洗浄するための洗浄ブラシに関し、特に学校で学童・生徒が使用した後の洗浄に便利な水彩パレット洗浄ブラシに関する。
【背景技術】
【０００２】
水彩画を描く際に、水彩パレットが使われる。我が国では通常、小中高等学校の図工や美術の授業において水彩画を学ばされるので、ほとんどの人は過去に一度は水彩パレットを使用したことがあるはずなので、以下簡単に水彩パレットについて説明する。水彩パレットは一般にプラスチック製で、２枚の板を蝶番で連結した二つ折り可能な方形の板状であって、二つ折りの内側面に複数の仕切が設けられて複数の区画が構成されている。小さな区画に各色の水彩絵の具をチューブから出し、大きめの区画内で混合して所望の色を作るなどして使用する。使用後は絵の具を洗い流すが、洗浄方法として一般的なのは、水彩パレットを水道水に曝しつつ、絵筆を束にして手に持って水彩パレットを刷毛部分でこする、というものである。これにより水彩パレットと絵筆とを同時に洗浄しようとしている。しかしながら絵筆は刷毛が柔軟すぎて特に区画の隅から絵の具が落ちにくく、強くこすると絵筆から刷毛が抜けるなど絵筆を傷め、また絵筆の刷毛が植え込んである刷毛台部分が金属製であるために水彩パレットが傷ついてしまっていた。また、絵筆は絵を描くものであって、パレットを洗浄するものではない。絵筆の使用目的というものも明確にすることにある。古来より日本の書の文化は筆の文化と言っても過言ではない。そういう意味でも道具の大切さを学ぶ上で、絵筆でパレットを洗浄することは望ましくない。
【考案の開示】
【考案が解決しようとする課題】
【０００３】
よって本考案の目的は、絵筆や水彩パレットを損傷することなく、汚れを十分に洗浄することのできる水彩パレット洗浄ブラシを提供することにある。
【課題を解決するための手段】
【０００４】
上記目的を達成するために本考案は、水彩パレットを洗浄するための洗浄ブラシであって、水彩パレットに設けられた洗浄ブラシ収容部に収容可能であり、かつ表面が柔軟な刷毛台部とを備えて水彩パレット洗浄ブラシを構成した。
【０００５】
本考案に係る水彩パレット洗浄ブラシにおいては、水彩パレットには洗浄ブラシ収容部が設けられており、水彩パレット洗浄ブラシを収容しておくことにより、水彩パレットを洗浄する場合には専用の洗浄ブラシが手元にあるので、これを利用して水彩パレットを洗浄することができる。これにより、絵筆で水彩パレットを洗浄して絵筆や水彩パレットを損傷することもなく、水彩パレットの汚れを落とすことができる。また刷毛台部の表面が柔軟なので水彩用絵筆の金属製の刷毛台部に比較して水彩パレットを損傷することがない。
【０００６】
刷毛台部は、好ましくはシリコンゴム製である。洗浄ブラシは、、例えば筆型、羽子板型、ロール型等どのような形状でもよいが、好ましくは水彩パレットが嵩張らず大きなスペースを占めることのない筆型である。洗浄ブラシを筆型形状とした場合、刷毛台部はシリコンゴム製のリング状とすることができる。刷毛の材質はナイロン、豚毛、シュロ、パームからなる群から選ばれる少なくとも通常の水彩用絵筆よりも硬質のものとすれば、水彩用絵筆で洗浄するよりも高い洗浄効果を得られ、より好ましい。
【考案の効果】
【０００７】
以上のように、本考案に係る水彩パレット洗浄ブラシによると、絵筆や水彩パレットを損傷することなく、汚れを十分に洗浄することができる。
【考案を実施するための最良の形態】
【０００８】
以下、図面を参照しつつ本考案に係る水彩パレット洗浄ブラシの最良の形態について詳細に説明する。なお、以下の説明は考案をより深く理解するためのものであって、実用新案登録請求の範囲を限定するためのものではない。
【０００９】
（第１の実施の形態）
図１は、本考案に係る水彩パレット洗浄ブラシの第１の実施の形態であって、水彩パレットの二つ折りを開いた状態を示す平面図であり、図２は図１のＩＩ−ＩＩ断面図である。
【００１０】
各図において、水彩パレットは表板２０と裏板１０の２枚を図１視左右の蝶番１０２、２０２、１０４、２０４で連結することにより相互に重畳した状態から図示のような開いた状態とすることができる。水彩パレットは重畳した状態で保管・運搬され、使用時には図示のように相互に面一になる位置まで開かれる。重畳した状態は、図１視上下縁に備えられた保持具１２、２２により維持される。
【００１１】
表板２０及び裏板１０の内側面、すなわち重畳時に相互に対向する各面には、複数の仕切２４、１４が突設されており、表板２０、裏板１０の側壁２５、１５とともに、絵の具を収容する凹部となる複数の区画２６、１６を構成している。裏板１０には親指を通して水彩パレットを支持するための支持穴１３が設けられており、表板２０には水彩パレットを折り畳んだときに支持穴１３に重畳する位置に円形の通気穴２９が設けられている。これにより空気は表板２０及び裏板１０の外側面の間を通り抜けることができる。通気穴２９の周縁はリング状に上方に突出している。
【００１２】
表板２０の内側面の右端部には、洗浄ブラシ収容部２８が設けられている。洗浄ブラシ収容部２８は、他の仕切２４よりもやや高い仕切２７と側壁２５とにより形成された凹部であり、そのサイズは洗浄ブラシ３０の長さ及び太さに相応している。すなわち洗浄ブラシ収容部２８の長さは洗浄ブラシ３０の長さとほぼ同一であり、洗浄ブラシ収容部２８の幅は洗浄ブラシ３０の最も太い部分の直径よりも僅かに小さく、洗浄ブラシ収容部２８の高さは洗浄ブラシ３０の最も太い部分の半径よりも大きい。洗浄ブラシ収容部２８は支持穴１３及び通気穴２９に隣接して設けられており、これにより使用後の洗浄ブラシ３０が濡れたまま洗浄ブラシ収容部２８に収容されたとしても、空気が外部から豊富に供給されて洗浄ブラシ３０が乾燥され、カビや腐敗を防止することができる。
【００１３】
図３は洗浄ブラシ３０を図１、２よりも拡大して示す正面図である。洗浄ブラシ３０は木製の円筒状の柄部３２と、柄部３２の図３視左端の外周面に嵌め込まれたシリコンゴム製のリング状の刷毛台部３４と、柄部３２の図３視左端面から左方に突出した硬めの豚毛製の刷毛３６とからなる。
【００１４】
図３に示されるようにシリコンゴム製の刷毛台部３４が洗浄ブラシ３０の最も太い部分になり、一方洗浄ブラシ収容部２８の幅は刷毛台部３４の直径よりも僅かに小さい。このため洗浄ブラシ３０を洗浄ブラシ収容部２８に押し込むと、刷毛台部３４が仕切２７と側壁２５との間に歪んで入り込み、刷毛台部３４の弾性により洗浄ブラシ３０は洗浄ブラシ収容部２８中に保持される。
【００１５】
従って、水彩パレットとともに常に洗浄ブラシ３０を保管・携行することができる。このような水彩パレットを使用した後は、洗浄ブラシ収容部２８から洗浄ブラシ３０を取り外して水彩パレットを洗浄する。このとき、洗浄ブラシ３０の刷毛３６が植え込まれた部分を覆う刷毛台部３４はシリコンゴム製であるから、水彩パレットの表面を傷つけることがない。また洗浄ブラシ３０の硬質の刷毛３６により、絵の具を十分に洗い落とすことができる。
【００１６】
（第２の実施の形態）
図４は本考案に係る水彩パレット洗浄ブラシの収容される水彩パレットの第２の実施の形態を示す斜視図である。
【００１７】
図４において、洗浄ブラシ３０は水彩パレット５０の側縁部に脱着可能に嵌着されている支持具４０の筒状半割体４２、４２に収容される。支持具４０は、折り畳んだ状態の水彩パレット５０の表面５２と裏面５４とを挟持する一対の挟持板４４、４６と、一対の挟持板４２、４４の側縁同士を相互に接続する接続板４８とからなり、断面がコの字状である。接続板４８の高さ、すなわち一対の挟持板４２、４４の側縁の間の距離は水彩パレット５０の表面５２と裏面５４との間の厚さとほぼ同一だが、挟持板４２、４４の接続板４８により接続されていない側縁の間の距離はより短く形成されており、これにより水彩パレット５０を堅固に挟持することができる。
【００１８】
筒状半割体４２は接続板４８に側面部において固着されており、筒状の側面の一部を軸線方向に沿って切り欠いた形状である。筒状半割体４２の直径は、洗浄ブラシ３０の軸の直径よりもやや小さく、よって洗浄ブラシ３０の軸が中に差し込まれたときに、弾性により洗浄ブラシ３０の軸を把持することができる。
【００１９】
第２の実施の形態によると、洗浄ブラシ３０は外部に露出しているので刷毛部分に含まれる水分が乾きやすく、カビが発生したり腐ったりすることがない。また水彩パレット５０の側縁に取り付けるためにあまり嵩張ることがない。また容易に脱着可能であるため、水彩パレット５０の使用中など必要な場合には支持具４０を取り外すことができる。さらに、水彩パレット５０の蝶番が設けられている側縁に対向する側縁を支持具４０により挟持することにより、水彩パレット５０が折り畳まれた状態から意に反して開くことを抑制することができる。
【００２０】
（第３の実施の形態）
図５は、本考案に係る水彩パレット洗浄ブラシの収容される水彩パレットの第３の実施の形態を示す平面図である。
【００２１】
図５において、水彩パレット６０の表面には洗浄ブラシ３０を収容するための洗浄ブラシ収容部６２が設けられている。洗浄ブラシ収容部６２は水彩パレット６０の表面に設けられた凹部であり、そのサイズは洗浄ブラシ３０の長さ及び太さに相応している。すなわち洗浄ブラシ収容部６２の長さは洗浄ブラシ３０の長さとほぼ同一であり、洗浄ブラシ収容部６２の幅は洗浄ブラシ３０の最も太い部分である刷毛台部３４の直径よりも僅かに小さく、洗浄ブラシ収容部６２の深さは洗浄ブラシ３０の直径にほぼ等しい。
【００２２】
このような水彩パレット６０によると、洗浄ブラシ３０は水彩パレット５０を嵩張らせることなく洗浄ブラシ収容部６２に収容され、また外部に突出していないので脱落しにくい。
【００２３】
以上本考案の実施の形態について説明したが、本考案は上記実施の形態に限定されるものではなく、本考案の要旨の範囲内において適宜変形可能であることはいうまでもない。
【図面の簡単な説明】
【００２４】
【図１】図１は、本考案に係る水彩パレット洗浄ブラシが収容される水彩パレットの第１の実施の形態の開いた状態を示す平面図である。
【図２】図２は、図１のＩＩ−ＩＩ断面図である。
【図３】図３は、図１、２に示した水彩パレットの洗浄ブラシ収容部に収容可能な本発明に係る水彩パレット洗浄ブラシを示す拡大正面図である。
【図４】図４は、本発明に係る水彩パレット洗浄ブラシが収容される水彩パレットの第２の実施の形態を示す斜視図である。
【図５】図５は、本発明に係る水彩パレット洗浄ブラシが収容される水彩パレットの第３の実施の形態を示す平面図である。
【符号の説明】
【００２５】
１０  裏板
１０２、１０４ 蝶番
１２ 保持具
１３ 支持穴
１４ 仕切
１５ 側壁
１６ 区画
２０ 表板
２０２、２０４ 蝶番
２２ 保持具
２４ 仕切
２５ 側壁
２６ 区画
２７ 仕切
２８ 洗浄ブラシ収容部
２９ 通気穴
３０ 洗浄ブラシ
３２ 柄部
３４ 刷毛台部
３６ 刷毛
【図１】
0003117111.tif 000003
【図２】
0003117111.tif 000004
【図３】
0003117111.tif 000005
【図４】
0003117111.tif 000006
【図５】
0003117111.tif 000007